(57)【要約】【課題】耐久性を有して長期間使用することができ、設置や取り外しが容易に行えることにより汚れ防止カバー自体の汚れの拭き取りも容易に行うことができる、ＩＨクッキングヒーター用排気口汚れ防止カバーを得る。【解決手段】排気口の横幅以上の長さを有すると共に側面形状が略円弧状を成した金属板製のカバー部において、該カバー部の両端底部にスタンド部を設け、前記カバー部が自立して前記排気口の上面部を覆うことができるように形成する。または、排気口の横幅以上の長さを有すると共に側面形状が略円弧状を成した金属板製のカバー部において、該カバー部の横幅が伸縮自在となるスライド機構を有すると共に当該カバー部の両端底部にスタンド部を設け、前記カバー部が自立して前記排気口の上面部を覆うことができるように形成する。【選択図】図１
0003122658.tif 000002
【実用新案登録請求の範囲】
【請求項１】
排気口の横幅以上の長さを有すると共に側面形状が略円弧状を成した金属板製のカバー部において、該カバー部の両端底部にスタンド部を設け、前記カバー部が自立して前記排気口の上面部を覆うことができるように形成したことを特徴とする、ＩＨクッキングヒーター用排気口汚れ防止カバー。
【請求項２】
排気口の横幅以上の長さを有すると共に側面形状が略円弧状を成した金属板製のカバー部において、該カバー部の横幅が伸縮自在となるスライド機構を有すると共に当該カバー部の両端底部にスタンド部を設け、前記カバー部が自立して前記排気口の上面部を覆うことができるように形成したことを特徴とする、ＩＨクッキングヒーター用排気口汚れ防止カバー。
【請求項３】
スタンド部の先端部にカバー部を挟むための挟持部を設け、カバー部とスタンド部が着脱自在に形成したことを特徴とする、請求項１又は請求項２に記載のＩＨクッキングヒーター用排気口汚れ防止カバー。
【請求項４】
スタンド部の先端部に蝶番を設けてカバー部に固着し、スタンド部を回転して折り畳み自在に形成したことを特徴とする、請求項１又は請求項２に記載のＩＨクッキングヒーター用排気口汚れ防止カバー。
【考案の詳細な説明】
【技術分野】
【０００１】  本考案は、ＩＨクッキングヒーターで揚げ物や炒め物及び煮物等の調理を行う際に、該ＩＨクッキングヒーターの後部にある排気口が飛び跳ねた油や吹きこぼれた煮汁等で汚れるのを防止するための、ＩＨクッキングヒーター用排気口汚れ防止カバーに関するものである。
【背景技術】
【０００２】  近年、システムキッチンの電化に伴い、揚げ物や炒め物及び煮物等の調理を行う調理器具はガスコンロよりＩＨクッキングヒーターに変わりつつある。該ＩＨクッキングヒーターは、金属製（主に鉄製やステンレス製）の鍋底に磁力線を当て、該鍋底の金属板に発生したうず電流により当該鍋底を発熱させることにより調理を行うものであり、ガスコンロのような火が不要な調理器具である。【０００３】  このため、ＩＨクッキングヒーターのトッププレートには耐熱性のある平板状の結晶化ガラスが使用され、煮物等の調理の際に吹きこぼれた煮汁等は台布巾により簡単に拭き取ることができるものである。しかし、グリルを使用した際において当該グリル内の空気を排出するための排気口は、平坦構造ではないと共にメッシュ状のカバーを被せた形状となっているため、揚げ物や炒め物及び煮物等の調理を行った際に飛び跳ねた油や吹きこぼれた煮汁等が前記排気口内に入って汚した場合、簡単に拭き取ることができなかった。【０００４】  上記のような調理器具の排気口の汚れを防止すべく、特開平０９−８９２７３号公報の『排気口カバー』では、システムキッチンのビルトインコンロの排気口において、立上り胴部と傾斜胴部及び左右の壁部を有する金属箔形成体を前記排気口に設置することにより汚れを防止し、更に前記金属箔形成体にトッププレートと磁力により固定する吸着機構を有することを特徴とした排気口カバーについて記載されている。また、特開２００５−３３７５２５号公報の『コンロ用天板及びコンロ』では、排気口の汚れ防止以外に、前記排気口カバーが排気熱による変色や変形により外観を損ねたり耐久性が悪くなることを防止するためのコンロ用天板について記載されている。【０００５】
【特許文献１】特開平０９−８９２７３
【特許文献２】特開２００５−３３７５２５
【考案の開示】
【考案が解決しようとする課題】
【０００６】  しかしながら、上記特開平０９−８９２７３号公報においては、排気口カバーが金属箔で形成されているために剛性がなく、調理器具が当ったり汚れを拭き取る際に容易に変形してしまうという欠点があった。このため、耐久性がなく即ち使い捨てタイプとなり、長期間使用することができないという問題点があった。【０００７】  また、上記特開２００５−３３７５２５号公報においては、排気熱による変色や変形を防止し、従来の排気口に代る排気フードとすることが主目的であり、排気フードの下面側に空気層を形成するための排気フード保護板を設けるなど機構が複雑であると共に当該排気フードがトッププレートに固定されているため、排気フード自体の汚れを拭き取る際に容易に取り外すことができず、面倒であるという欠点があった。【０００８】  本考案は、上記のような欠点を解決するために成されたものであり、耐久性を有して長期間使用することができ、設置や取り外しが容易に行えることにより汚れ防止カバー自体の汚れの拭き取りも容易に行うことができる、ＩＨクッキングヒーター用排気口汚れ防止カバーを提供することを目的とする。
【課題を解決するための手段】
【０００９】  上記課題を解決するため、本考案のＩＨクッキングヒーター用排気口汚れ防止カバーにおいては、排気口の横幅以上の長さを有すると共に側面形状が略円弧状を成した金属板製のカバー部において、該カバー部の両端底部にスタンド部を設け、前記カバー部が自立して前記排気口の上面部を覆うことができるように形成する。【００１０】  また、排気口の横幅以上の長さを有すると共に側面形状が略円弧状を成した金属板製のカバー部において、該カバー部の横幅が伸縮自在となるスライド機構を有すると共に当該カバー部の両端底部にスタンド部を設け、前記カバー部が自立して前記排気口の上面部を覆うことができるように形成する。
【考案の効果】
【００１１】  本考案のＩＨクッキングヒーター用排気口汚れ防止カバーを、ＩＨクッキングヒーターの後部にある排気口の上面部を覆うように設置して揚げ物や炒め物及び煮物等の調理を行うようにすれば、調理の際に飛び跳ねた油や吹きこぼれた煮汁等が排気口内に入ることがなく汚れを防止することができるという効果を奏する。また、汚れ防止カバーがスタンドを具備した自立型金属板で形成されるため、安定して設置できると共に、耐久性を有して長期間使用することができるという効果を奏する。更には設置や取り外しが容易に行えることにより汚れ防止カバー自体の汚れの拭き取りも容易に行うことができるという効果を奏する。
【考案を実施するための最良の形態】
【００１２】  本考案を実施するための最良の形態を図を用いて説明する。【００１３】  図１は本考案のＩＨクッキングヒーター用排気口汚れ防止カバーをＩＨクッキングヒーターの排気口に設置した状態を示す図であり、図２は本考案のＩＨクッキングヒーター用排気口汚れ防止カバーの第一実施例の斜視図である。該図に示すように、汚れ防止カバー７は、ＩＨクッキングヒーター１の後部にある排気口６の横幅以上の長さを有する側面形状が略円弧状を成した金属板製のカバー部８において、該カバー部８の両端底部にスタンド部９，９を設け、前記カバー部８が自立して前記排気口６の上面部を覆うことができるように形成する。なお、図１において、符号２はＩＨヒーター部，符号３はラジエントヒーター部，符号４はモニター，符号５は操作スイッチを示す。【００１４】  上記カバー部８及びスタンド部９，９を形成する金属板は、厚さ約０．５〜１ｍｍ程度のステンレス板が好適であり、スタンド部９からカバー部８までの高さは約１０ｃｍ程度とし、長さは排気口６の横幅に対応させ、標準タイプ用として約６０ｃｍ程度とし、ワイドタイプ用として約７５ｃｍ程度とするのが好適である。前記排気口６の横幅は、メーカーが異なった場合に多少の違いはあるものの略同一であり、上記２種類の寸法で対応可能となる。また、側面部において略円弧状の形状幅は、排気口６の縦幅より広く取り約８ｃｍ程度とするのが好適である。なお、前記金属板の材質や寸法は好適と判断されるものを示しただけであり、これに限定するものではない。【００１５】  図３は本考案のＩＨクッキングヒーター用排気口汚れ防止カバーの第二実施例の構造図であり、（ａ）は正面図，（ｂ）は（ａ）におけるＡ部拡大側面図である。該図に示すように、汚れ防止カバー７を複数のメーカー又は同一メーカーであっても大きさの異なるＩＨクッキングヒーター１に最適に対応させる場合には、ＩＨクッキングヒーター１の後部にある排気口６の横幅以上の長さを有する側面形状が略円弧状を成した金属板のカバー部８ａ，８ｂにおいて、該カバー部８ａ，８ｂの横幅が伸縮自在となるスライド機構１０を有すると共に当該カバー部８ａ，８ｂの両端底部にスタンド部９，９を設け、前記カバー部８ａ，８ｂが自立して前記排気口６の上面部を覆うことができるように形成する。【００１６】  上記スライド機構１０は、一方のカバー部８ａの上下部において適度な長さと幅を有した保持片１１を内側に折り曲げることによりスライド用の溝１２が形成される構造とする。そして、前記カバー部８ａの縦幅より僅かに狭い縦幅を有した他方のカバー部８ｂを、前記カバー部８ａのスライド機構１０の溝１２に摺動可能に挿入することにより、カバー部８ａ，８ｂの横幅が図中矢印で示すように伸縮自在となる。この時、カバー部８ａ，８ｂを縮めた状態の長さを約６０ｃｍ程度とし、伸ばした状態の長さを約７５ｃｍ程度とするのが好適である。なお、図３において横幅の短いカバー部８ａにスライド機構１０を設けたが、横幅の長いカバー部８ｂにスライド機構１０を設け、横幅の短いカバー部８ａを前記スライド機構１０に摺動可能に挿入するようにしても構わない。【００１７】  また、図４は本考案のＩＨクッキングヒーター用排気口汚れ防止カバーのスタンド部の構造図であり、（ａ）は着脱自在構造のスタンド部，（ｂ）は蝶番による折り畳み自在構造のスタンド部を示している。【００１８】  上記（ａ）は、スタンド部９の先端部にカバー部８を挟むための挟持部１３ａ，１３ｂを設けたものである。該方式によれば、カバー部８とスタンド部９が着脱自在であるため、汚れ防止カバー７を商品として販売する時に包装容器が小型になる。また、カバー部８の汚れを拭き取る時にいっそう拭き取りやすくなる。更にはスタンド部９の取り付け位置が自在となる。【００１９】  上記（ｂ）は、スタンド部９の先端部に蝶番１４を設けてカバー部８に固着したものである。該方式によれば、スタンド部９を図中矢印のように回転して折り畳み自在であるたるため、（ａ）と同様に汚れ防止カバー７を商品として販売する時に包装容器が小型になる。また、カバー部８の汚れを拭き取る時にいっそう拭き取りやすくなる。
【産業上の利用可能性】
【００２０】  上記説明においては、ＩＨクッキングヒーターの排気口の汚れ防止カバーについて説明したが、ガスコンロによるシステムキッチンの排気口の汚れ防止カバーとして使用しても構わないものである。
【図面の簡単な説明】
【００２１】
【図１】本考案のＩＨクッキングヒーター用排気口汚れ防止カバーをＩＨクッキングヒーターの排気口に設置した状態を示す図である。
【図２】本考案のＩＨクッキングヒーター用排気口汚れ防止カバーの第一実施例の斜視図である。
【図３】本考案のＩＨクッキングヒーター用排気口汚れ防止カバーの第二実施例の構造図である。
【図４】本考案のＩＨクッキングヒーター用排気口汚れ防止カバーのスタンド部の構造図である。
【符号の説明】
【００２２】    １  ＩＨクッキングヒーター
２  ＩＨヒーター部
３  ラジエントヒーター部
４  モニター
５  操作スイッチ
６  排気口
７  汚れ防止カバー
８  カバー部
９  スタンド部
１０  スライド機構
１１  保持片
１２  溝
１３ａ，１３ｂ  挟持部
１４  蝶番
【図１】
0003122658.tif 000003
【図２】
0003122658.tif 000004
【図３】
0003122658.tif 000005
【図４】
0003122658.tif 000006